(57)【要約】【課題】簡易な構成により効率的な取扱いの利便性が得られるようにした配線接続管理システムを提供する。【解決手段】一端にプラグが接続された少なくとも一つの接続コードのそのプラグは、配線盤の複数個のアダプタのいずれかと結合される。接続コード側とアダプタ側とにそれぞれ、非接触で情報の書き込みと読み出しができる少なくとも二つのメモリ機能部が配置され、二つのメモリ機能部にアクセスして非接触で情報の書き込みと読み出し検知をするアンテナと表示器を有する手持ち形プローブ部と、そのプローブ部により検知された情報に対する処理をしてその処理結果を表示する情報処理部とを備えている。二つのメモリ機能部に所定のＩＤ情報と番地情報とを、それぞれ、記憶せしめて、複数個のアダプタのうちのいずれかと接続コードのプラグとの結合状態に対応する管理情報が前記処理結果として前記情報処理部から得られる。【選択図】      図１
2005216698.tif 000002
【特許請求の範囲】
【請求項１】
一端にプラグが接続された少なくとも一つの接続コードと、
前記プラグと結合するアダプタを複数個配置した配線盤と、
前記接続コード側と前記アダプタ側とにそれぞれ配置された、非接触で情報の書き込みと読み出しができる少なくとも二つのメモリ機能部と、
該二つのメモリ機能部にアクセスして非接触で前記情報の書き込みと読み出し検知をするアンテナと表示器を有する手持ち形プローブ部と、
該プローブ部により検知された前記情報に対する処理をしてその処理結果を表示する情報処理部とを備え、
前記接続コード側と前記アダプタ側とにそれぞれ配置された前記少なくとも二つのメモリ機能部に所定のＩＤ情報と番地情報とを、それぞれ、記憶せしめて、
前記複数個のアダプタのうちのいずれかと前記接続コードの前記プラグとの結合状態に対応する管理情報が前記処理結果として前記情報処理部から得られるように構成された配線接続管理システム。
【請求項２】
前記情報処理部は、前記プローブ部と一体に形成されていることを特徴とする請求項１に記載の配線接続処理システム。
【請求項３】
前記接続コード側では、前記メモリ機能部は前記プラグに配置されていることを特徴とする請求項１又は２に記載の配線接続管理システム。
【請求項４】
前記接続コード側では、前記メモリ機能部は前記コードに配置されていることを特徴とする請求項１又は２に記載の配線接続管理システム。
【請求項５】
前記アダプタ側では、前記メモリ機能部は、複数個のアダプタに個別に設けられていることを特徴とする請求項１乃至４のいずれかに記載の配線接続管理システム。
【請求項６】
前記アダプタ側では、前記メモリ機能部は、複数個のアダプタのうちの予め定めた少なくとも一つのグループについて、まとめて、設けられていることを特徴とする請求項１乃至４のいずれかに記載の配線接続管理システム。
【請求項７】
前記プローブ部は、前記メモリ機能部に対する情報の書き込みと読み出し機能を備えていることを特徴とする請求項１乃至６のいずれかに記載の配線接続管理システム。
【請求項８】
前記プラグと前記アダプタとの一方と他方に、近接センサの作動子と受動子とを、それぞれ、備えて、前記プラグと前記アダプタとの正常な結合状態と正常に結合していない半差し状態とを前記受動素子の出力により区別して検知し得るように構成されたことを特徴とする請求項１乃至７のいずれかに記載の配線接続管理システム。
【請求項９】
前記ＩＤ情報は、前記接続コードの両端に対して、同一の固有ＩＤに該両端を相互に区別する符号を付加したＩＤが割り当てられていることを特徴とする請求項１乃至８のいずれかに記載の配線接続管理システム。
【発明の詳細な説明】
【技術分野】
【０００１】
本発明は、メタル線や光ファイバを含むケーブルの接続先の情報を管理する配線接続管理システムに関するものである。
【背景技術】
【０００２】
従来のケーブルには、管理のための管理情報として、任意の文字又はバーコードなどを記録したラベル、又はテープが貼り付けられている。
このような状態でケーブルの取付け配線作業の管理をする場合、一般的にパソコン（ＰＣ）などを利用して管理が行われているが、管理情報が文字であった場合、取扱い担当者が認識してパソコンに入力処理を行うことから、誤認識や入力間違え等のミスが発生するおそれがある。
また、管理情報を印字した媒体がラベル又はテープなどの場合、担当者が認識するには、その媒体はある程度の大きさを有することが必要であり、実際の利用環境で配線盤に集約された際に、ラベル自体が取扱いの邪魔となり、取扱いの利便性を阻害することとなる。
さらに、媒体の材質が紙などの場合、取扱い中に破損してしまうことがあり、そのときには認識は不可能となり管理することができない。
また、配線数が著しく多い配線盤や装置等にケーブルを配線する場合、管理情報を印字した媒体が配線済みのケーブルに隠れて見えなくなり、個別の認識情報が容易に認識出来ない状態が発生するおそれがある。
【０００３】
これらの欠点を解消するために、ケーブルに接続されたコネクタに管理情報を記憶したカードを取り付けておき、そのカードからその管理情報を読み出してケーブルの接続状態を管理するものが提案されている（例えば、特許文献１参照）。
【特許文献１】ＵＳＰ  ５８２１５１０
【発明の開示】
【発明が解決しようとする課題】
【０００４】
しかし、この従来例ではバーコードを記録したカードを用いる実施形態をとっているので、カード上で記録情報を変更することができず、カードの取付け及び取扱いが不便であり、効率的な配線接続の管理をすることができない。
【０００５】
本発明は、簡易な構成により効率的な取扱いの利便性が得られるようにした配線接続管理システムを提供するものである。
【課題を解決するための手段】
【０００６】
この目的を達成するために、本発明による配線接続管理システムは、一端にプラグが接続された少なくとも一つの接続コードと、
前記プラグと結合するアダプタを複数個配置した配線盤と、
前記接続コード側と前記アダプタ側とにそれぞれ配置された、非接触で情報の書き込みと読み出しができる少なくとも二つのメモリ機能部と、
該二つのメモリ機能部にアクセスして非接触で前記情報の書き込みと読み出し検知をするアンテナと表示器を有する手持ち形プローブ部と、
該プローブ部により検知された前記情報に対する処理をしてその処理結果を表示する情報処理部とを備え、
前記接続コード側と前記アダプタ側とにそれぞれ配置された前記少なくとも二つのメモリ機能部に所定のＩＤ情報と番地情報とを、それぞれ、記憶せしめて、
前記複数個のアダプタのうちのいずれかと前記接続コードの前記プラグとの結合状態に対応する管理情報が前記処理結果として前記情報処理部から得られるように構成されている。
【０００７】
前記情報処理部は、前記プローブ部と一体に形成することができる。
前記接続コード側では、前記メモリ機能部は前記プラグに配置されているように構成することができる。
前記接続コード側では、前記メモリ機能部は前記コードに配置されているように構成することができる。
前記アダプタ側では、前記メモリ機能部は、複数個のアダプタに個別に設けることができる。
前記アダプタ側では、前記メモリ機能部は、複数個のアダプタのうちの予め定めた少なくとも一つのグループについて、まとめて、設けることができる。
前記プローブ部は、前記メモリ機能部に対する情報の書き込みと読み出し機能を備えることができる。
前記プラグと前記アダプタとの一方と他方に、近接センサの作動子と受動子とを、それぞれ、備えて、前記プラグと前記アダプタとの正常な結合状態と正常に結合しない半差し状態とを前記受動素子の出力により区別して検知し得るように構成することができる。
前記ＩＤ情報は、前記接続コードの両端に対して、同一の固有ＩＤに該両端を相互に区別する符号を付加したＩＤが割り当てられているように構成することができる。
【発明の効果】
【０００８】
本発明による配線接続管理システムでは、検知機能の主要部は手持ち制御プローブであるため、非常に小型であり取扱いの煩雑さが解消される。
また、読取り装置がパソコンに直接接続されて、配線の接続に関する情報が自動的に入力されるようにしたことにより、人手が介在することがなくなり、情報の入力ミスがなくなる。
さらに、パソコンの処理機能を手持ち形プローブに搭載して一体化すれば、構造の簡易化と取扱いの利便性とはさらに向上する。
【発明を実施するための最良の形態】
【０００９】
本発明によるシステムには、図１に示すように、コネクタプラグ３に接続された接続コード２とそのプラグ３が挿入されるアダプタまたはレセプタクル（以下、代表してアダプタという）４を管理対象として、例えば、ＲＦＩＤシステムとして製品化されＩＣカードやＩＣ定期券に使用されているような電磁誘導方式による非接触型集積回路を持った無線タグの如きメモリ機能部１ａ，１ｂを備えている。また、読み取り制御装置であるプローブ部５は、図１に示すように、メモリ機能部１ａ，１ｂと電磁誘導結合をするためのセンサとしてのアンテナ６と、その制御部７と、プローブ部５で処理されたデータを表示する表示部８と、プローブ部５の電源となる電池９とを備えている。また、読み書きデータを蓄積処理するために、通信路１１を介して制御部７がパソコン１０に接続されている。
【００１０】
ここで、図１に示すように、コード２に接続されたプラグ３がアダプタ４に挿入された場合、プローブ部５に設置されたアンテナ６を介して、接続コード２側のメモリ機能部１ｂ及びアダプタ４側のメモリ機能部１ａと通信を行い、情報の読みとりを行うことで、アダプタ４に接続されるケーブルの接続先を特定させることができるメモリ機能付き接続コード２として機能する。
【００１１】
メモリ機能部１ａ，１ｂには、予め番地情報と固有の識別情報（以下、固有ＩＤと略記する場合がある）が、それぞれ、記録される。この識別情報のおのおのは唯一のものであり、同一の情報は２つと存在しない。
このような構成により、メモリ機能付きコードを実現することにより、前記本発明の目的を達成することができる。以下はその目的に対応する具体的な使用例である。
【００１２】
（１）接続コード２のコネクタプラグ３をアダプタ４に接続する作業において、アダプタ４のメモリ機能部１ａと接続コード２のメモリ機能部１ｂ内に番地情報と固有ＩＤをそれぞれ書き込み、さらに作業者や作業日時などを併せてパソコン１０に入力させておけば、後に、番地情報と固有ＩＤからそれらの各コネクタの接続状態について追跡することができ、接続作業品質の向上を図ることができる。
（２）また、番地情報と固有ＩＤは、各工程の作業中にプローブ部５を接続部分に近づけることによりメモリ機能部１ａ，１ｂから、アンテナ６を介して制御部７により自動的に読みとられ、そのまま直接パソコン１０に入力されることから、前記の様な従来技術における誤認識、入力間違い、入力忘れ、などのミスを防ぐことが可能である。
（３）本発明による配線接続管理システムは、接続コードの他端側が半固定状態で接続されており、一端側について本発明を適用する場合にも、その配線状態を効率的に管理することが可能である。
【００１３】
本発明による配線接続管理システムは、図１におけるパソコン１０と通信路１１を、図２に示すように、省略し、パソコン１０に設けられていた機能のうち、プラグ３とアダプタ４との相互結合状態を検知し、処理と表示をするに必要な機能のみをプローブ部５に結合した新たなプローブ部５ａとするこことができる。
【００１４】
接続コード側では、メモリ機能部１ｂは、図３（ａ）に示すように、プラグ３に設けてもよく、また図３（ｂ）に示すように、接続コード２に設けてもよい。
【００１５】
アダプタ側では、メモリ機能部１ａは、以下に示すように、複数個のアダプタ４に個別に設けてもよく、また予め定めたグループにまとめて設けてもよい。
【００１６】
図４は、配線架２０に、マトリクス状に配置された複数のアダプタ４に対し、縦方向の各列のアダプタ４について１個宛のメモリ機能部１を設けた例を示す。このようにグループ毎に一つのメモリ機能部１を配置した場合には、グループ指定と行位置指定で、特定のアダプタを指定することができる。
【００１７】
図５は、配線架２０に、マトリクス状に配置された複数のアダプタ４に対し、縦方向の各列Ａ，Ｂ，・・・Ｚについて１個宛のメモリ機能部１と、横方向の各行１，２，３・・・１０について１個宛のメモリ機能部１とを設けておき、番号（Ａ，Ｂ，・・・Ｚ）のうちの１つと番号（１，２，３・・・１０）のうちの一つとの結合（例えば、１Ａ，１Ｂ，・・・１０Ａ，１０Ｂ・・・等）により、所望のアダプタ４を表示する例を示している。
【００１８】
図６は、配線架２０のすべてのアダプタ４に個別にメモリ機能部１を設けた例を示している。
【００１９】
図７は、プラグ３とアダプタ４とに、近接センサの作動子３０と受動子３１とを設ける場合を示している。作動子３０と受動子３１の組合せとしては、マグネットとマグネットセンサとの組合せ、ＬＥＤと光センサとの組合せ等を採用することができる。受動子３１の出力は、検知表示部１２に入力されて、所定の検知出力が得られたか否かを検知し表示することができる。この検知表示部１２は、パソコン１０と一体構成としてもよく、また別体構成でもよい。このような近接センサを配置することにより、このコネクタのプラグ３とアダプタ４との結合が正常であるか不正常（半差し状態）であるかを確認することができるので、これを各コネクタの結合状態の判断要素に採用して、さらに高い信頼性のある配線接続管理を行うことができる。
【００２０】
以上のように構成された本発明による配線接続管理システムにおける各コネクタでのプラグ３とアダプタ４との結合状態の管理動作手順例について説明する。
例えば、配線架２０に１０×１０＝１００個のアダプタが配置されている場合に、これらのアダプタに対して、番地情報が表１のように割り当てられているものとする。この表１は、パソコン１０上のデータベースに設定される。
【００２１】
【表１】
2005216698.tif 000003
【００２２】
また、二つの配線架２０の相互間を接続するための各接続コードの一端側と他端側のメモリ機能１ｂには、固有ＩＤが例えば図８のように割り当てられているものとする。
【００２３】
図８に示された固有ＩＤの割り当て表に限らず、接続コードの両端に、それぞれ配線架２０が配置される場合には、各接続コードについては同じ固有ＩＤにａ，ｂ等の両端部相互を区別する符号を付加したＩＤを割り当てることができる。
【００２４】
図９は、本発明システムに用いるプローブ部５の構成例を示すブロック図である。図９において、５０はこのプローブ部５における制御処理の中心をなす中央処理装置（ＣＰＵ）、５１はメモリ機能部１，１ａ，１ｂとの通信を行う無線伝送路を形成するためのアンテナ部、５２はＣＰＵ５０の制御下でメモリ機能部１，１ａ，１ｂに対して読み出しモードをとるか書き込みモードをとるかの制御をするＲＦリーダ／ライタ制御部、５３は処理操作に必要なパターン情報を表示する表示部、５４はＣＰＵ５０の制御下で表示部５３への表示動作を制御する表示制御部、５５はプローブ部５による処理に必要なデータを格納するデータ格納メモリ、５６は制御ボタン，スイッチ等を有してＣＰＵ５０に対して必要な制御入力を与える制御入力部、５７は直流電源としての電池、５８はＣＰＵの制御下で電池５７からＣＰＵ５０への直流供給を制御する電源制御部である。
さらに、５９はパソコン（ＰＣ）１０とのデータ通信路を形成するための外部通信ポート、６０は外部通信ポート５９を介してパソコン（ＰＣ）１０とＣＰＵ５０とのデータ伝送を制御する外部通信制御部である。
【００２５】
このような構成により、パソコン（ＰＣ）１０から送られる配線架２０における、例えば後に例示される配線接続パターンの如き接続指示が表示部５３に表示され、この接続指示に従って、番地選択，モード選択等の必要な選択制御を制御入力部５６から行うことにより、アンテナ部５１を介して選択された番地のメモリ機能部１，１ａ，１ｂとの間でデータの書き込み及び書き込まれたデータの読み出しを行って、表示部５３に必要な表示をし、さらに、その処理結果を外部通信ポート５９を介してパソコン（ＰＣ）１０に伝送して、配線接続作業の進行を管理することができる。
【００２６】
図１０は、パソコン（ＰＣ）１０を用いないで、パソコン（ＰＣ）１０が有する機能のうち、この配線接続の管理を実行するのに必要な機能をＣＰＵ５０ａに持たせたプローブ部５ａの構成例を示している。この構成例では、各番地のコネクタにおいて、アダプタに付加されている各番地情報とプラグに付加されている各固有ＩＤを、後に表２で例示する如き簡単な表示パターンで確認することができるので、日常の配線接続の監視作業等に適している。
【００２７】
本発明システムにおける処理動作についてその理解をさらに容易にするために、二つの配線装置２００，３００間を光ファイバ接続ケーブル１００で接続する場合における従来の配線接続の手順例について、図１３を参照してまず説明する。
Ｉ  配線装置間の距離が簡単に両端の接続先を確認し得る程度に比較的近い場合（従来）
１．個別の接続ケーブル１００の両端が、それぞれ、どの番地のアダプタに接続されるかを示す「配線表」（図示せず）を参照する。
２．この配線を実行するのに必要なコネクタ種別，ケーブル種別，長さ等の条件に適合する接続ケーブル１００を選択する。この場合、一般的にはケーブルにラベルは添付しないが、重要回線では、図１３に示すように、ラベル２０２，３０２が付加されている。
３．次に、一方の配線装置２００において、手順１で参照した接続対象のアダプタ２０４の番地を示すラベル２０１を確認する。
４．接続ケーブル１００の一方の端部に接続されているプラグ２０３を手順３により判明している指定のアダプタ２０４に接続する。
５．接続ケーブル１００の他方の端部に接続されているプラグ３０３を、手順１乃至手順４に従ってラベル３０１を参照し、重要回線は、さらに、ラベル３０２を参照して他方の配線装置３００側の指定のアダプタ３０４に接続する。
６．以上の手順でこの場合の接続ケーブル１００の接続は完了する。
７．接続ケーブル１００の接続先を確認する際には、一方の配線装置１００側のアダプタ２０４に付加されているラベル２０１を確認し、他方の配線装置３００側は接続ケーブル１００を辿って行き、その接続ケーブル１００が接続されているアダプタ３０４のラベル３０１を確認する。この際に、重要回線では、接続ケーブル１００のラベル２０２，３０２を確認する必要がある。
【００２８】
II  配線装置間の距離がフロアを異にする程度に比較的遠い場合（従来）
１．前記の場合同様に「配線表」を参照する。
２．複数の接続ケーブル１００を接続する際には、全てのケーブルに２０２，３０２の如きラベルを事前につけておき、このラベルには一端側の接続先と他端側の接続先とを図１３のように記載してあるので、これを参照して接続ケーブルを選択する。
３．一方の配線先のアダプタ２０４の番地を示すラベル２０１を確認する。
４．接続ケーブル１００の一方の端部に接続されているプラグ２０３を、添付されているラベル２０２に表示されている指定のアダプタ２０４に接続する。
５．複数の接続ケーブル１００を接続する場合には、以下、上記の手順１，手順３を繰り返し、全ての接続ケーブル１００の一方側を接続してから、他方側に移動して、全ての接続ケーブル１００の他方側の接続を行う。
６．全ての接続ケーブル１００の他方の端部から各接続ケーブル１００の各ラベルを個別に確認した上で、その端部に接続されているプラグ３０３を、手順３の要領でラベル３０２，３０１を参照することにより判明している指定のアダプタ３０４に、手順４に従って、接続する。
７．以上の手順で、この場合の接続ケーブルの接続は完了する。
８．接続換えの際には、プラグ２０３，３０３の接続時にラベル２０２，３０２を書き換えもしくは付け替えを行う。
【００２９】
以上は、従来行われている作業手順であるが、本発明システムでは前記の各手順において接続先の確認作業がパソコンの表示画面に表示された「配線対象表」を参照して、プローブ部５の操作による固有ＩＤの確認作業により実行されることになるので、個々の作業が著しく単純化され、作業能率と正確性を格段に向上させることが可能である。
【００３０】
次に、本発明システムにより、二つの配線装置２００，３００間を接続コード２により相互連結する場合の接続手順の一例について、図１１，図１２及び表２を参照して、前記の従来の配線接続手順例と対比して説明する。
【００３１】
【表２】
2005216698.tif 000004
【００３２】
Ｉ  配線装置間の距離が比較的近い場合（本発明）
１．配線作業で実行すべき複数の配線対象の接続関係を指定する複数の接続情報を示す「配線対象表」を、例えば表２（その１）のようにパソコン１０上のデータベースに設定しておく。ここで、接続指定情報とは、表２の第１欄では、架２００の接続対象アダプタの番地を示す「Ａ１と架３００の接続対象アダプタの番地を示す「Ｆ３」である。
２．これらの配線作業の実行の際には、パソコン１０上のデータベースに設定された表２をパソコン１０の表示画面に表示し、その表２上の複数の配線対象のうちのいずれを第１番目の配線として実行するのかを、該当する配線対象を表示した表示欄を色分け表示等により指定する。
従って、例えば、表２の第１欄が選択されたときには、「架２００のＡ１のアダプタ２４」と「架３００のＦ３のアダプタ３４」とが接続されるべき配線対象であることが指定されたことになる。
３．２．にて指定された配線対象の接続を実行するのに適合するコネクタ種別，ケーブル種別，長さ等の条件を有し、そのメモリ機能部１ａ又は１ｂにそれぞれ固有ＩＤ（例えば、Ｐ００１ａとＰ００１ｂ）が記録されている接続コード２を選択する。
４．選択された接続コード２の一方のプラグ２３を接続すべき一方の架（例えば架２００）におけるアダプタ２４（この場合、Ａ１）の示名条片（ラベル）２０１を確認する。
５．確認されたＡ１のアダプタ２４に、３．で選択された接続コード２の一方のプラグ２３を接続する。
６．Ａ１のアダプタ２４のメモリ機能部１ａ及びアダプタ２４に接続されたプラグ２３のメモリ機能部１ｂに記録されている固有ＩＤ（Ｐ００１ａ）を、プロープ部５で読込んで、表２の（その２）のように書き込む。
７．他方の架３００のアダプタ３４に、接続コード２の他方のプラグ３３を接続するために、上記の手順４と手順５に準じた処理を実行し、固有ＩＤ（Ｐ００１ｂ）が表２の（その３）のように書き込まれる。
８．以下、表２に表示された配線対象に対し、同様の処理を順次実行することになる。
【００３３】
II  配線装置間の距離が比較的遠い場合（本発明）
１．配線作業で実行すべき複数の配線対象の接続関係を指定する複数の接続情報を、例えば表２（その１）のようにパソコン１０上のデータベースに設定しておく。ここで、接続指定情報とは、表２の第１欄では、架２００の接続対象アダプタの番地を示す「Ａ１と架３００の接続対象アダプタの番地を示す「Ｆ３」である。
２．これらの配線作業の実行の際には、パソコン１０上のデータベースに設定された表２をパソコン１０の表示画面に表示し、その表２上の複数の配線対象のうちのいずれを第１番目の配線として実行するのかを、該当する配線対象を表示した表示欄を色分け表示等により指定する。
従って、例えば、表２の第１欄が選択されたときには、「架２００のＡ１のアダプタ２４」と「架３００のＦ３のアダプタ３４」とが接続されるべき配線対象であることが指定されたことになる。
３．２．にて指定された配線対象の接続を実行するのに適合するコネクタ種別，ケーブル種別，長さ等の条件を有し、そのメモリ機能部１ａ又は１ｂにそれぞれ固有ＩＤ（例えば、Ｐ００１ａとＰ００１ｂ）が記録されている接続コード２を選択する。
４．選択された接続コード２の一方のプラグ２３を接続すべき一方の架（例えば架２００）におけるアダプタ２４（この場合、Ａ１）の示名条片（ラベル）２０１を確認する。
５．確認されたＡ１のアダプタ２４に、３で選択された接続コード２の一方のプラグ２３を接続する。
６．Ａ１のアダプタ２４のメモリ機能部１ａ及びアダプタ２４に接続されたプラグ２３のメモリ機能部１ｂに記録されている固有ＩＤ（Ｐ００１ａ）を、プローブ部５で読み込んで、表２の（その２）のように書き込む。
７．以下、表２に表示された他の配線対象に対し、同様の処理を順次実行することになる。
８．接続コード２の一方のプラグ２３は一方の架２００のアダプタ２４に接続されているが、他方のプラグ３３は他方の架３００のアダプタ３４に接続されていない接続コード２を選択する。
９．８．で選択した接続コード２の接続されていない方のプラグ３３のメモリ機能部１ｂに記録されている固有ＩＤ（例えば、Ｐ００１ｂ）を、プローブ部５により読み取る。
10. その読み取られた固有ＩＤ（Ｐ００１ｂ）をパソコン１０のデータベースに記録された表２の「接続状況」欄を参照することにより、その固有ＩＤ（Ｐ００１ｂ）は固有ＩＤ（Ｐ００１ａ）が記録されている一方のプラグ２３が接続されている接続コード２の他端側に配置されているメモリ機能部１ｂに記録されている固有ＩＤ（Ｐ００１ｂ）であることが判明するので、この場合には表２から「その他端側のプラグ３３は、他方の架３００のＦ３のアダプタ３４に接続されるべきであること」を確認する。
11.  10.で確認されたＦ３のアダプタ３４にそのプラグ３３を接続する。
12. 以下、上記の手順８乃至１１に準じた処理を実行し、固有ＩＤ（Ｐ００１ｂ）が表２の（その３）のように書き込まれる。
13. 以下、表２に表示された他の配線対象に対し、同様の処理を順次実行することになる。
【００３４】
以上説明されたプラグとアダプタとの接続の確認の際に、図７を参照して説明した近接センサによる正常結合か否かの判定手段からの出力を参照すれば、さらに高い信頼性を以てこのコネクタの正常結合の確認を行うことができる。
【産業上の利用可能性】
【００３５】
本発明は、ケーブルと交換機の如き局内設備との接続をする配線装置において、各コネクタのアダプタとプラグの接続状況を、簡易な構成により単純な手順で、確認して高い信頼性を以て管理することができるので、このような配線装置の新設時及び配線替え時の配線処理作業に広く適用することができる。
【図面の簡単な説明】
【００３６】
【図１】本発明システムの実施例の構成を示すブロック図である。
【図２】本発明システムの他の実施例の構成を示すブロック図である。
【図３】本発明システムに用いるメモリ機能部の配置例を示す外観平面図である。
【図４】本発明システムにおける配線架でのメモリ機能部の配置例を示す正面略図である。
【図５】本発明システムにおける配線架でのメモリ機能部の他の配置例を示す正面略図である。
【図６】本発明システムにおける配線架でのメモリ機能部のさらに他の配置例を示す正面略図である。
【図７】本発明システムにおけるコネクタのプラグとアダプタとの結合の半差し状態を確認する構成例を示す平面略図である。
【図８】本発明に用いる接続コードの両端部に位置するメモリ機能部に割り当てられる固有ＩＤの１例を示す図である。
【図９】本発明システムに用いるプローブ部の構成例を示すブロック図である。
【図１０】本発明システムに用いるプローブ部の他の構成例を示すブロック図である。
【図１１】本発明システムを適用した接続コードの配線手順例を説明するための図である。
【図１２】本発明システムを適用した架相互間の接続作業の具体例を説明するためのブロック図である。
【図１３】従来方式による接続ケーブルの配線手順例を説明するための図である。
【符号の説明】
【００３７】
１，１ａ，１ｂ  メモリ機能部（無線タグ）
２  接続コード
３  プラグ（コネクタ・プラグ）
４  アダプタ（コネクタ・アダプタ）
５，５ａ  プローブ部
６  アンテナ（センサ）
７  制御部
８  表示部
９  電池
１０  パソコン（ＰＣ）
１１  通信路
２０  配線架
２３  プラグ
２４  アダプタ
３０  作動素子
３１  受動素子
３３  プラグ
３４  アダプタ
５０，５０ａ  ＣＰＵ
５１  アンテナ部
５２  ＲＦリーダ／ライタ部
５３  表示部
５４  表示制御部
５５  データ格納メモリ
５６  制御入力部
５７  電池
５８  電源制御部
５９  外部通信ポート
６０  外部通信制御部
１００  接続ケーブル
１０２，１０３  ラベル
２００  配線装置
２０１  ラベル
２０２  ラベル
２０３  プラグ
２０４  アダプタ
３００  配線装置
３０１  ラベル
３０２  ラベル
３０３  プラグ
３０４  アダプタ
【図１】
2005216698.tif 000005
【図２】
2005216698.tif 000006
【図３】
2005216698.tif 000007
【図４】
2005216698.tif 000008
【図５】
2005216698.tif 000009
【図６】
2005216698.tif 000010
【図７】
2005216698.tif 000011
【図８】
2005216698.tif 000012
【図９】
2005216698.tif 000013
【図１０】
2005216698.tif 000014
【図１１】
2005216698.tif 000015
【図１２】
2005216698.tif 000016
【図１３】
2005216698.tif 000017